(57)【要約】【課題】    電源供給コネクタから電熱ロッドへの電気の供給について、電磁誘導という手法を用いることにより、電源供給コネクタと電熱ロッドとの間にて機械的な電気接点を排除して、電熱ロッドへの電源の供給に関与する部位を液密に被覆することを可能とする。【解決手段】  本願発明に係る電熱ロッドの電源供給機構では、電熱ロッド１は、通電することにて発熱するヒータ１１と、当該ヒータ１１及び電磁誘導手段３の２次側コイル３２を液密に被覆するケーシング１０とを備え、ケーシング１０は、電源供給コネクタを連結することが可能な接続部５を有する。電源供給コネクタ２は、少なくとも上記１次側コイルを液密に被覆する被覆体２０を備え、被覆体２０は、電熱ロッド１の上記接続部５へ連結させることが可能な被接続部６を有する。被接続部６を接続部５へ連結させることにより、上記の鉄心３３が１次側及び２次側の両コイル３１，３２の中心に配置される。【選択図】          図２
2005065975.tif 000002
【特許請求の範囲】
【請求項１】
毛髪が巻かれる電熱ロッドと、電熱ロッドへ着脱可能に接続される電源供給コネクタと、電磁誘導手段とを備え、
電磁誘導手段は、１次側コイルと、２次側コイルと、鉄心とにて構成され、
電熱ロッドは、通電することにて発熱するヒータと、当該ヒータ及び電磁誘導手段の上記２次側コイルを液密に被覆するケーシングとを備え、
上記のケーシングは、電源供給コネクタを連結することが可能な接続部を有し、
電源供給コネクタは、少なくとも上記１次側コイルを液密に被覆する被覆体を備え、
上記の被覆体は、電熱ロッドの上記接続部へ連結させることが可能な被接続部を有し、
被接続部を接続部へ連結させることにより、上記の鉄心が１次側及び２次側の両コイルの中心に配置されるものであることを特徴とする電熱ロッドの電源供給機構。
【請求項２】
上記の鉄心は、１次側コイルと共に被覆体の被接続部に被覆され、或いは、２次側コイルと共にケーシングの接続部に被覆され、
接続部と被接続部の何れか一方は、その表面から被覆するコイルの中心部にかけて陥没する凹部を備え、接続部と被接続部の何れか他方は、被覆するコイルの中心に上記鉄心を配置し、且つ配置した鉄心の一端を当該コイルの一端から突出させるものであり、
上記鉄心の突出する一端を被覆する部位が、上記凹部と嵌合する凸部を形成するものであり、
凸部を凹部へ嵌めることにより、１次側及び２次側の両コイルに鉄心が共有されることを特徴とする請求項１記載の電熱ロッドの電源供給機構。
【請求項３】
上記の接続部と被接続部の夫々について、少なくともその一方に磁石が設けられ、その他方に当該磁石にて吸着可能な鉄板等の被吸着体が設けられたことを特徴とする請求項１又は２記載の電熱ロッドの電源供給機構。
【請求項４】
交流電源と、基端が交流電源に接続された多数の電気コードと、各電気コードの先端に接続された電源供給コネクタと、毛髪に巻かれ電源供給コネクタが着脱自在に接続される多数の電熱ロッドと、電熱ロッドと電源供給コネクタの各対に設けられた電磁誘導手段とを備え、
電磁誘導手段の夫々は、１次側コイルと、２次側コイルと、鉄心とにて構成され、
電熱ロッドの夫々は、通電することにて発熱するヒータと、当該ヒータ及び電磁誘導手段の上記２次側コイルを液密に被覆するケーシングとを備え、
上記のケーシングは、電源供給コネクタを連結することが可能な接続部を有し、
電源供給コネクタは、少なくとも上記１次側コイルを液密に被覆する被覆体を備え、被覆体内にて、当該１次側コイルは上記電気コードの先端に接続され、
更に、被覆体は、電熱ロッドの上記接続部へ連結させることが可能な被接続部を有し、
被接続部を接続部へ連結させることにより、上記の鉄心が１次側及び２次側の両コイルの中心に配置されるものであることを特徴とするパーマ装置。
【発明の詳細な説明】
【技術分野】
【０００１】
本願発明は、電熱ロッドの電源供給機構及びパーマ装置に関するものであり、詳しくは、電熱ロッドを頭髪に巻きつけた後に、電源供給コネクタを接続し当該電熱ロッドを発熱させる、電熱ロッドの電源供給機構及び当該機構を採用したパーマ装置に関する。
【背景技術】
【０００２】
従来より美容室などで行われている頭髪のパーマネントウェーブ処理（以下、パーマと記す）において、電熱ロッドを用いるものがある。
このパーマ用の電熱ロッドは、電源接続時に発熱するヒータ等の発熱部材を内蔵するものであり、この電熱ロッドに、カーリング剤を塗布した状態の頭髪を巻き付けた後、電熱ロッドを発熱させることにより、頭髪にウェーブを形成することができる。
この電熱ロッドには電気コードが接続され、箱状などの形態を有するパーマ装置本体に備えられた電源から電力が供給される。この一例が下記の特許文献１、特願２００３−８９９６２号及び特願２００３−１８３６５５号に示されている（特願２００３−８９９６２号及び特願２００３−１８３６５５号に記載された発明については、本願発明者によって創作され、本願出願人によって出願されたものである）。
即ち、上記の従来の技術では、電熱ロッドに電源を供給するために、電源に接続された電気コードに電源供給コネクタが設けられ、電熱ロッドと電源供給コネクタと連結部分が電気的な接点となり、電熱ロッドに当該コネクタを接続することで電源を電熱ロッドへ供給しているのである。従って、このような電気的な接点部分は、通電を確保するため、被覆することができず、外部に露出させておく必要がある。
【０００３】
【特許文献１】特開２００３−１０２５３４号公報
【０００４】
しかし、上記従来の技術の、第１の課題として、使用するたびに電熱ロッドは洗浄され、この時電熱ロッドと電源供給コネクタの（電気的な）接点部分から電熱ロッドや電源供給コネクタの内部に洗浄水が浸入したり、施術時に塗布する薬液が浸入し漏電やショートしたりする危険性がある。
【０００５】
また、第２の課題として、パーマ施術時、今までの電熱ロッドにおき、通電時、電源供給コネクタについては、装着時や作業終了時、美容師などの施術者が、電熱ロッドを片手で持ちながら、もう一方の手で電源供給コネクタを脱着しなくてはならなかった。このため、脱着の都度、毛髪に巻きつけた電熱ロッドを引っ張ってしまい、被施術者が不快感を覚えたりし、またその一方で、美容師などの施術者において、そのような不快感を被施術者に感じさせまいと、細心の注意を払いながら、電熱ロッドを取り外しており、作業効率を低下させる要因となっている。
【発明の開示】
【発明が解決しようとする課題】
【０００６】
本願の各発明は、電源供給コネクタから電熱ロッドへの電気の供給について、電磁誘導という手法を用いることにより、電源供給コネクタと電熱ロッドとの間にて機械的な端子（通電に際し他の端子と直接接触することを必要とする端子）による接続即ち機械的な電気接点を排除して、電熱ロッドへの電源の供給に関与する部位を液密に被覆することを可能とし、上記の第１課題の解決を図るものである。また、本願第３の発明は、磁力を利用して、コネクタと電熱ロッドとを接続することにより、両者の着脱を容易とて、上記第２の課題の解決を図るものである。
【課題を解決するための手段】
【０００７】
本願の第１の発明に係る電熱ロッドの電源供給機構は、毛髪が巻かれる電熱ロッド１と、電熱ロッド１へ着脱可能に接続される電源供給コネクタ２と、電磁誘導手段３とを備える。電磁誘導手段３は、１次側コイル３１と、２次側コイル３２と、鉄心３３とにて構成されている。電熱ロッド１は、通電することにて発熱するヒータ１１と、当該ヒータ１１及び電磁誘導手段３の上記２次側コイル３２を液密に被覆するケーシング１０とを備える。上記のケーシング１０は、電源供給コネクタ２を連結することが可能な接続部５を有する。電源供給コネクタ２は、少なくとも上記１次側コイル３１を液密に被覆する被覆体２０と備える。上記の被覆体２０は、電熱ロッド１の上記接続部５へ連結させることが可能な被接続部６を有する。そして、被接続部６を接続部５へ連結させることにより、上記の鉄心が１次側及び２次側の両コイル３１，３２の中心に配置される。
尚、ここでいう２次コイル３２は、導線をらせん状にまいて形成し、誘導電流を発生させるものであり、発熱を目的とするものではない（電磁誘導加熱を行うためのヨークではない）。
【０００８】
本願の第２の発明に係る電熱ロッドの電源供給機構では、上記本願第１の発明に係る電熱ロッドの電源供給機構にあって、上記の鉄心３３が、１次側コイル３１と共に被覆体２０の被接続部６に被覆され、或いは、２次側コイル３２と共にケーシング１０の接続部５に被覆されている。接続部５と被接続部６の何れか一方は、その表面から被覆するコイルの中心部にかけて陥没する凹部を備え、接続部５と被接続部６の何れか他方は、被覆するコイルの中心に上記鉄心３３を配置し、且つ配置した鉄心３３の一端を当該コイルの一端から突出させるものである。上記鉄心３３の突出する一端を被覆する部位が、上記凹部と嵌合する凸部を形成する。凸部を凹部へ嵌めることにより、１次側及び２次側の両コイル３１，３２に鉄心３３が共有される。
【０００９】
本願の第３の発明に係る電熱ロッドの電源供給機構では、上記本願第１又は第２の発明に係る電熱ロッドの電源供給機構にあって、上記の接続部５と被接続部６の夫々について、少なくともその一方に磁石が設けられ、その他方に当該磁石にて吸着可能な鉄板等の被吸着体が設けられたことを特徴とする。
尚、被吸着体には、磁石も含む。
【００１０】
本願第４の発明に係るパーマ装置は、交流電源と、基端が交流電源に接続された多数の電気コード９…９と、各電気コード９…９の先端に接続された電源供給コネクタ２…２と、毛髪に巻かれ電源供給コネクタ２…２が着脱自在に接続される多数の電熱ロッド１…１と、電熱ロッド１…１と電源供給コネクタ２…２の各対に設けられた電磁誘導手段３…３とを備える。電磁誘導手段３…３の夫々は、１次側コイル３１と、２次側コイル３２と、鉄心３３とにて構成されている。電熱ロッド１…１の夫々は、通電することにて発熱するヒータ１１と、当該ヒータ１１及び電磁誘導手段３の上記２次側コイル３２を液密に被覆するケーシング１０とを備える。上記のケーシング１０は、電源供給コネクタ２を連結することが可能な接続部５を有する。電源供給コネクタ２は、少なくとも上記１次側コイル３１を液密に被覆する被覆体２０と備え、被覆体２０内にて、当該１次側コイル３１は上記電気コード９の先端に接続されている。更に、被覆体２０は、電熱ロッド１…１の上記接続部５へ連結させることが可能な被接続部６を有する。被接続部６を接続部５へ連結させることにより、上記の鉄心３３が１次側及び２次側の両コイル３１，３２の中心に配置される。
【発明の効果】
【００１１】
本願第１乃至第３の発明の実施によって、上記の構成を採る本願第１〜第３の発明に係る電熱ロッドの電源供給機構及び、本願第４の発明に係るパーマ装置は、電磁誘導手段３を用い電磁誘導を利用して電源供給コネクタ２から電熱ロッド１への電気の供給を行うことにより、電熱ロッド１と電源供給コネクタ２との間に電気的な接点を排除し、液密なケージング１０及び被覆体２０にて、１次及び２次コイル３１，３２を被覆し、電熱ロッド１及び電源供給コネクタ２の内部へ液体が浸入するのを抑制した。
即ち、電熱ロッド１への電源の供給のために、機械的なコンタクトを使用せず、電源供給コネクタ２に１次側コイル３１を設けると共に、電熱ロッド２側に２次側コイルを設けて、電気的に電熱ロッド１と電源供給コネクタ２とを切り離し、電磁誘導により、電熱ロッド１側のヒータ１１に電圧を発生させるものである。このように、電磁誘導により電源を供給することにより電熱ロッドや電源供給側のコネクターを完全密封することができ薬液や洗浄水の浸入を阻止することを可能としたのである。従って、施術後の洗浄時、ロッド内部に洗浄水が浸入することによって生じる不具合が、発生せず、気を使うことなく、容易に洗浄することが可能となった。
【００１２】
特に、本願第３の発明に係る電熱ロッドの電源供給機構では、上記の接続部５と被接続部６について、その一方に磁石を、その他方に当該磁石にて吸着可能な鉄板等の被吸着体とを設けることにより、磁力にて接続部５と被接続部６の接続や接続状態の維持を図るものであり、接続部５と被接続部６の連結や分離が容易に行える。
即ち、電熱ロッド１及び電源供給コネクタ２の夫々に磁石等の磁性体と当該磁性体に吸着可能な被吸着体を設け、電熱ロッド１側に鉄板を取り付けることによりロッドに電源供給コネクターを差し込んでも磁力により脱落を防止できる。このように、コネクタの脱着を容易にできることにて、被施術者に従来与えていた不快感を与えずに済み、施術者の作業性が向上し、理美容院（施術者）の作業負担を軽減した。
【発明を実施するための最良の形態】
【００１３】
以下、図面を参照しつつ、本願発明の好ましい実施の形態について、説明する。図１乃至図３へ本願発明に係る電熱ロッドの電源供給機構を採用したパーマ装置の一実施の形態を示す。
図１は、上記パーマ装置の使用状態を示す全体斜視図である。図２はこの装置に用いられる電熱ロッドの電源供給機構の略縦断面図である。図３は図２に示す電熱ロッド１と電源供給コネクタ２の接続状態を示す略縦断面図である。
説明の便宜上、図２及び図３において、Ｆは前方を、Ｂは後方を、夫々示している。
【００１４】
図１へ示す通り、このパーマ装置は、交流電源（図示せず。）と、基端が交流電源に接続された多数の電気コード９…９と、各電気コード９…９の先端に接続された電源供給コネクタ２…２と、被施術者Ｓの頭髪に巻かれ電源供給コネクタ２…２が着脱自在に接続される多数の電熱ロッド１…１と、電熱ロッド１…１と電源供給コネクタ２…２の各対に設けられた電磁誘導手段３…３（図２及び図３）とを備える。電磁誘導手段３は、１次側コイル３１と、２次側コイル３２と、鉄心３３とにて構成される。尚、上記の電気コード９…９や電熱ロッド１…１の「多数」とは、複数であり、特に１０本以上という意味である。
各部の構成について、以下順に説明する。
【００１５】
図２へ示す通り、電熱ロッド１は、通電することにて発熱するヒータ１１と、導線１２，１２と、被吸着体８と、ケーシング１０とを備える。
ケーシング１０は、ヒータ１１、導線１２，１２及び被吸着体８と共に、電磁誘導手段３の上記２次側コイル３２を収容する。即ち、ケーシング１０は、当該ヒータ１１、導線１２，１２、被吸着体８及び、２次側コイル３１を液密に被覆する。ヒータ１１と２次側コイル３１とは、導線１２，１２を介して電気的に接続されている。
【００１６】
ケーシング１０は、両端が閉鎖された筒状体である。ケーシング１０の後部は、電源供給コネクタ２を連結する接続部５を形成する。この実施の形態に対して、当該接続部５の一部として、ケーシング１０の後端面には、ケーシング１０前方に向けて陥没する凹部が形成されている。
ケーシング１０は、プラスチックなどの、パーマに必要な熱をヒータ１１から伝導することが可能な熱伝導性と耐熱性と（電気的な）絶縁性を備え且つ液密な素材にて形成される。ケーシング１０に採用するプラスチックとし、例えば、６６ナイロンなどを用いることができる。但し、これ以外の素材を採用して、ケーシング１０を形成することを制限するものではない。
ケーシング１０は、製造時、開口部を備えるものとし（図示せず。）、ヒータ１１、導線１２，１２、被吸着体８、２次側コイル３２を収容した後、液密な素材でできた蓋体にて開口部を封じるものとする。当該開口部の閉鎖には、超音波溶着やネジ留めにて実現可能である。この他、ケーシング１０を、分割した状態に形成された複数のパーツにて構成し、各パーツを超音波溶着にて接着し或いはネジ留めにて一体として完成するものとし、当該完成前に、ヒータ１１、導線１２，１２、被吸着体８、２次側コイル３２を収容するものとしても実施可能である。
更に、ケーシング１０の成型時、インサート成型により、ヒータ１１、導線１２，１２、被吸着体８、及び２次側コイル３２を、ケーシング１１内に配置するものとしても実施可能である。
【００１７】
ヒータ１１には、電熱ロッド１の軽量化の面で、加熱フィルム（特願２００３−１８３６５５の明細書に記載の加熱フィルムと同じ）を採用するのが好ましい。この過熱フィルムについては、内部に抵抗材が配置された厚みの薄いフィルムにより構成されたものである。
ケーシング１０内部において、ヒータ１１の後方に２次側コイル３２が配置され、更に、２次側コイル３２の後方に被吸着体８が配置されている。この実施の形態において、２次側コイル３２は、その巻き線の中心軸を、筒状のケーシング１０の中心軸と一致させている。
被吸着体８は、その中心へ表裏に貫通する貫通穴を備えた円盤状の鉄板である。
２次側コイル３２は、巻き線をらせん状に巻くことにより、中空の環状体として形成されたものである。具体的に説明すると、接続部５の一部としてケーシング１０の後端面が備える前述の凹部（の裏側）は、中空のケーシング１０の内部において、凸状部となる。当該凸状部に上記被吸着体８を装着する（凸状部を被吸着体８の穴に通す）。この後、この凸状部に巻き線を巻回することにより、或いは既にコイルとして形成された２次側コイル３２の中心を当該凸状部へ嵌めることにより、被吸着体８と共に、２次側コイル３２の内周面を、ケーシング１０（の接続部５）にて被覆する。
【００１８】
電源供給コネクタ２…２は、電気コード９…９を介して、交流電源に（直接或いは間接的に）接続され、上記電磁誘導手段３を利用して、各電熱ロッド１…１へ交流電源を供給する。この実施の形態において、電気コード９…９は、操作制御部４（図１）を介して、交流電源（図示せず。）に接続されている。
一方、操作制御部４は、交流電源からの電気の供給と共に、電気コード９…９及び電源供給コネクタ２…２を通じて、各電熱ロッド１…１を制御する。操作制御部４は、操作卓として、電源のＯＮ・ＯＦＦ操作や温度設定・調整を行うことが可能なスイッチ類、更に、設定した（電熱ロッド１…１の）温度を一定に保つための制御機構を備える。このような操作や制御に関する機構は、個々の電源コネクタ２…２や、電熱ロッド１…１に内臓するものとして、上記の操作制御部４を設けずに実施することも可能である。但し、操作制御部４を設けることによって、各電熱ロッド１…１の温度の調整操作・制御や電源の供給を集中して行うことができ、便利である。
【００１９】
図２へ示す通り、電源供給コネクタ２自身は、磁石７と、被覆体２０とを備える。被覆体２０は、磁石７と、被覆体２０と共に、電磁誘導手段３の上記１次側コイル３１を収容し、外部に対して、磁石７と、被覆体２０と共に、電磁誘導手段３の上記１次側コイル３１を液密に被覆する。
上記の１次側コイル３１に、前述の電気コード９が接続されている。詳しくは、電気コード９は、導線９１，９１と、当該導線９１，９１を液密且つ電気的に絶縁状態に被覆する被覆部材９０にて構成されており、導線９１，９１の先端が１次側コイル３１に接続されているのである。被覆部材９０は、ビニールなどの柔軟性を有するプラスチック或いはゴムで形成して実施することができる。導線９１，９１の基端（後端）側は、前記交流電源（操作制御部４）に接続されている。
電気コード９の上記導線９１，９１の先端は、電源供給コネクタ２内にて、１次側コイル３１と共に被覆体２０に被覆され、液密にされ、且つ（電気的に）絶縁されている（被覆体２０と被覆部材９０との間は、液密にされ且つ絶縁されている）。
【００２０】
被覆体２０は、電熱ロッド１の上記接続部５へ連結させることが可能な被接続部６を有する。被接続部６を接続部５へ連結させることにより、上記の鉄心３３を１次側及び２次側の両コイル３１，３２の中心に配置させることができる（図３）。
具体的には、被覆体２０の前部は、上記接続部５へ着脱自在に連結される被接続部６を形成する。被覆体２０の先端面の中央には、当該被接続部６の一部として、前方に突出する凸部が形成されている。
被覆体２０は、プラスチックなどの、（電気的な）絶縁性と液密性を備えた素材にて形成されたハウジングである。
【００２１】
電源供給コネクタ２について、更に詳しく説明する。
上記の鉄心３３には、フェライト又は珪素鋼板などの、１次側コイル３１と２次側コイル３２との間において共有鉄心として電磁誘導作用を生じさせる素材を採用する。
鉄心３３は、円柱状の棒状体であり、その後部外周に１次側コイル３１を構成する巻き線が巻回される。このように鉄心３３は、１次側コイル３１の中心に配置され、鉄心３３の先端側は、１次側コイル３１より前方に突出する。
上記の磁石７は、中央へ表裏に貫通する孔を備えた円盤である。磁石７の当該孔に、鉄心３３の１次側コイル３１から突出する部分が通され、１次側コイル３１の前方に鉄心３３が配置される。鉄心３３の先端側は、１次側コイル３１及び当該磁石７より前方Ｆ側へ突出する。
被覆体２の内部において、被接続部６を構成する上記凸部の裏側は、凹状部となる。この凹状部内に、上記鉄心３３の先端側が収容される。
【００２２】
図３へ示す通り、上記の被覆体２０の被接続部６が備える凸部を、ケーシング１０の接続部５が備える凹部へ嵌めることにより、電源供給コネクタ２を電熱ロッド１へ連結することができる。電源供給コネクタ２と電熱ロッド１の当該連結により、鉄心３３が１次側及び２次側の両コイル３１，３２の中心に配置される。
そして、電気コード９へ交流電源が通電されることにより、電源供給コネクタ２の１次側コイル３１に１次側電圧がかけられ、これにて２次側コイル３２に２次電圧が生じ、導線１２，１２にてヒータ１１に発熱に必要な電圧がかけられる。
【００２３】
このように、電磁誘導を利用して電源を供給することにより電熱ロッド１や電源供給コネクタ２を完全密封することができ薬液や洗浄水の浸入を阻止することができる。また、磁石８の磁力にて、被吸着体７を、吸着することにより、電熱ロッド１から電源供給コネクタ２が脱落することを防止できる。
この実施の形態において、1 次側コイル３１と２次側コイル３２の、巻き線比は１：１である。但し、この巻き線比は、変更可能である。
【００２４】
上記の実施の形態において、鉄心３３を、１次側コイル３１の中心に配置して１次側コイル３１と共に被覆体２０にて被覆した。そして、接続部５に被接続部６を連結することにより、鉄心３３を２次側コイル３２の中心にも挿入するものとし、両コイル３１，３２に鉄心３３を共有させるものであった。一方、これとは逆に、鉄心３３を、２次側コイル３２の中心に配置し、２次側コイル３２と共にケーシング１０にて被覆してもよい。そして、接続部５に被接続部６を連結することにより、鉄心３３を１次側コイル３１の中心にも挿入するものとし、両コイル３１，３２に鉄心３３を共有させるものとしても実施可能である（この場合、接続部５と被接続部６が備える凹凸部も、逆になる）。
更に、鉄心３３は、両コイル３１，３２と分離した状態にされ、接続部５と被接続部６とを連結するときに、両コイル３１，３２の中心位置に配置されるものとしてもよい。即ち、鉄心３３は、ケーシング１０にも、被覆体２０にも、被覆されないものとするのである。その場合、鉄心３３自身は、防水されていないものとしてもよいし、別途のハウジングを用いて液密に被覆するものであっても実施可能である。
【００２５】
また、上記の実施の形態において、電源供給コネクタ２に磁石７が収容され、電熱ロッドに被吸着体８として鉄板が収容されるものとしたが、これとは、逆に、電源供給コネクタ２に鉄板（被吸着体８）が収容され、電熱ロッド１に磁石７が収容されるものとしても実施可能である。また、被吸着体８には、鉄板以外に磁石を採用して実施することも可能である。
【００２６】
更に、上記の実施の形態では、ケーシング１０の２次側コイル３２を被覆する部位が接続部５を構成し、被覆体２０の１次側コイル３１と鉄心３３を被覆する部位が、被接続部６を形成するものであった。この他、ケーシング１０及び被覆体２０において、接続部５及び被接続部６と、電磁誘導手段３の構成部材を被覆する部位とは、別々に形成されものであっても実施可能である。但し、この場合も、接続部と被接続部６とを連結することによって電熱ロッド１と電源供給コネクタ２とが物理的に接続（連結）され、このとき、当該連結に関与する以外の部位において、電磁誘導手段３の各構成部材が電磁誘導によりヒータ１１に電圧を発生させることが可能な（両コイル３１，３２に鉄心３３が共有される）位置関係をとるものとする。
【図面の簡単な説明】
【００２７】
【図１】本願発明の一実施の形態に係るパーマ装置の使用状態を示す全体斜視図である。
【図２】上記、パーマ装置に用いられる電気ロッドの電源供給機構の略縦断面図である。
【図３】図２に示す電熱ロッド１と電源供給コネクタ２とを連結した状態を示す略縦断面図である。
【符号の説明】
【００２８】
１  電熱ロッド
２  電源供給コネクタ
３  電磁誘導手段
５  接続部
６  被接続部
【図１】
2005065975.tif 000003
【図２】
2005065975.tif 000004
【図３】
2005065975.tif 000005